(57)【要約】【課題】二つのアンテナを用いるダイバシティ受信で放送を受信中に、他の放送をダイバシティ受信した場合の受信品質を正しく評価できる、構成が簡易な「放送受信装置」を提供する。【解決手段】第１アンテナ１０１を用いてバックグランドチューナ１０９２で各周波数チャネルをスキャンし、各周波数チャネルの受信品質Ｑ１を検出する。次に、検出された受信品質Ｑ１が正常受信可能なレベル未満であるが、正常受信可能なレベルに近いレベルの周波数チャネルの受信品質Ｑ２を第２アンテナ１０２を用いて検出する。そして、受信品質Ｑ１または受信品質Ｑ２が正常受信可能なレベルの周波数チャネルをステーションリストに登録する。【選択図】図１
2016225775.tif 000002
【特許請求の範囲】
【請求項１】
放送チャネルを用いて無線伝送される放送を受信する放送受信装置であって、
第１のアンテナと、
第２のアンテナと、
前記第１のアンテナと前記第２のアンテナとを用いた前記放送のダイバシティ受信を行い、受信した放送のコンテンツをユーザに対して出力するダイバシティ受信部と、
前記第１のアンテナと前記第２のアンテナのうちの一方のアンテナを選択的に用いて前記放送の受信品質の検出を行うバックグランドチューナと、
各放送チャネルの放送の受信品質を算出する受信品質算出手段とを有し、
前記受信品質算出手段は、前記放送チャネルの放送の前記第１のアンテナを用いた受信品質の検出を前記バックグランドチューナに行わせる共に、当該放送チャネルの放送の前記第２のアンテナを用いた受信品質の検出を前記バックグランドチューナに行わせ、前記第１のアンテナを用いて検出された受信品質である第１受信品質と、前記第２のアンテナを用いて検出された受信品質である第２受信品質とを統合的に評価して、当該放送チャネルの放送の受信品質を算出することを特徴とする放送受信装置。
【請求項２】
請求項１記載の放送受信装置であって、
前記受信品質算出手段は、前記放送チャネルの放送の受信品質の算出を、当該放送チャネルについて前記検出された前記第１受信品質と第２受信品質とのうちの、より良好な方の受信品質を、当該放送チャネルの放送の受信品質として算出することにより行うことを特徴とする放送受信装置。
【請求項３】
放送チャネルを用いて無線伝送される、コンテンツと代替局情報が多重化された放送を受信する放送受信装置であって、
前記代替局情報には、当該代替局情報が多重化された放送と同内容の放送が行われている放送チャネルが登録されており、
当該放送受信装置は、
第１のアンテナと、
第２のアンテナと、
前記第１のアンテナと前記第２のアンテナとを用いた前記放送のダイバシティ受信を行い、受信した放送のコンテンツをユーザに対して出力すると共に、当該放送に多重化されている前記代替局情報を抽出するダイバシティ受信部と、
前記第１のアンテナと前記第２のアンテナのうちの一方のアンテナを選択的に用いて前記放送の受信品質の検出を行うバックグランドチューナと、
前記ダイバシティ受信部が受信中の放送チャネルの代替として用いることのできる放送チャネルである代替放送チャネルを算定する代替局算定手段と、
所定の契機で、前記ダイバシティ受信部で受信する放送チャネルを、前記代替局算定手段が算定した代替放送チャネルに切り替える受信チャネル制御手段とを有し、
前記代替局算定手段は、
前記ダイバシティ受信部が抽出した代替局情報に登録されている各放送チャネルについて、当該放送チャネルの放送の前記第１のアンテナを用いた受信品質の検出を前記バックグランドチューナに行わせると共に、
当該第１のアンテナを用いて検出された受信品質である第１受信品質が所定のレベルより良好な放送チャネルのうちの受信品質が上位の複数の放送チャネルの放送の前記第２のアンテナを用いた受信品質の検出を前記バックグランドチューナに行わせ、
前記上位の複数の放送チャネルのうちの、前記第１受信品質と第２受信品質のうちのより良好な方の受信品質が最上位の放送チャネル、または、当該良好な方の受信品質が上位の複数の放送チャネルを、前記代替放送チャネルとして算定することを特徴とする放送受信装置。
【請求項４】
放送チャネルを用いて無線伝送される、コンテンツと代替局情報が多重化された放送を受信する放送受信装置であって、
前記代替局情報には、当該代替局情報が多重化された放送と同内容の放送が行われている放送チャネルが登録されており、
当該放送受信装置は、
第１のアンテナと、
第２のアンテナと、
前記第１のアンテナと前記第２のアンテナとを用いた前記放送のダイバシティ受信を行い、受信した放送のコンテンツをユーザに対して出力すると共に、当該放送に多重化されている前記代替局情報を抽出するダイバシティ受信部と、
前記第１のアンテナと前記第２のアンテナのうちの一方のアンテナを選択的に用いて前記放送の受信品質の検出を行うバックグランドチューナと、
前記ダイバシティ受信部が受信中の放送チャネルの代替として用いることのできる放送チャネルである代替放送チャネルを算定する代替局算定手段と、
所定の契機で、前記ダイバシティ受信部で受信する放送チャネルを、前記代替局算定手段が算定した代替放送チャネルに切り替える受信チャネル制御手段とを有し、
前記代替局算定手段は、
前記ダイバシティ受信部が抽出した代替局情報に登録されている各放送チャネルについて、当該放送チャネルの放送の前記第１のアンテナを用いた受信品質の検出を前記バックグランドチューナに行わせ、
当該第１のアンテナを用いて検出された受信品質である第１受信品質が所定のレベルより良好な放送チャネルが存在した場合には、存在した放送チャネルのうちのいずれかの放送チャネルを前記代替放送チャネルとして算定し、
当該第１のアンテナを用いて検出された受信品質である第１受信品質が所定のレベルより良好な放送チャネルが存在しなかった場合には、前記第１受信品質が前記所定のレベルより良好ではないが前記所定のレベルに近い放送チャネルの放送の前記第２のアンテナを用いた受信品質の検出を前記バックグランドチューナに行わせ、
当該第２のアンテナを用いて検出された受信品質である第２受信品質が前記所定のレベルより良好な放送チャネルのうちの、前記第２受信品質が最上位の放送チャネル、または、前記第２受信品質が上位の複数の放送チャネルを前記代替放送チャネルとして算定することを特徴とする放送受信装置。
【請求項５】
放送チャネルを用いて無線伝送される放送を受信する放送受信装置であって、
第１のアンテナと、
第２のアンテナと、
前記第１のアンテナと前記第２のアンテナとを用いた前記放送のダイバシティ受信を行い、受信した放送のコンテンツをユーザに対して出力するダイバシティ受信部と、
前記第１のアンテナと前記第２のアンテナのうちの一方のアンテナを選択的に用いて前記放送の受信品質の検出を行うバックグランドチューナと、
受信可能な放送チャネルが登録されたステーションリストと、
ユーザ操作に応じて、前記ステーションリストに登録されている放送チャネルの放送の受信を、前記ダイバシティ受信部に行わせる受信チャネル制御手段と、
前記ステーションリストを作成するステーションリスト作成手段とを有し、
前記ステーションリスト作成手段は、前記ダイバシティ受信部が受信可能な各放送チャネルについて、当該放送チャネルの放送の前記第１のアンテナを用いた受信品質の検出を前記バックグランドチューナに行わせ、当該第１のアンテナを用いて検出された受信品質である第１受信品質が所定のレベルより良好な放送チャネルを前記ステーションリストに登録すると共に、前記第１受信品質が前記所定のレベルより良好ではないが前記所定のレベルに近い放送チャネルの放送の前記第２のアンテナを用いた受信品質の検出を前記バックグランドチューナに行わせ、当該第２のアンテナを用いて検出された受信品質である第２受信品質が前記所定のレベルより良好な放送チャネルを前記ステーションリストに登録することを特徴とする放送受信装置。
【請求項６】
請求項１、２、３、４または５記載の放送受信装置であって、
前記放送はラジオ放送であることを特徴とする放送受信装置。
【請求項７】
請求項１、２、３、４、５または６記載の放送受信装置であって、
当該放送受信装置は、自動車に搭載される放送受信装置であることを特徴とする放送受信装置。
【発明の詳細な説明】
【技術分野】
【０００１】
本発明は、ラジオ放送等の放送を受信する放送受信装置に関するものである。
【背景技術】
【０００２】
RDS (Radio Data System)/RBDS (Radio Broadcast Data System)等の、制御信号を伴うオーディオ放送を行うラジオ放送を受信するラジオ放送受信装置において、制御信号に含まれる、同じプログラムを放送している放送チャネルのリスト（AFリスト）を用いて、受信中のプログラムと同じプログラムを放送している、最も受信状態のよい放送チャネルを探索し、探索した放送チャネルの放送に受信する放送チャネルを切り替えるAFサーチの技術が知られている（たとえば、特許文献１）。
【０００３】
また、アンテナとチューナの組を二組備えたラジオ放送受信装置において、受信中の放送チャネルの放送の受信品質が充分に良好でないときには、アンテナとチューナの組を二組用いて放送のダイバシティ受信を行い、受信中の放送チャネルの放送の受信品質が充分に良好であるときには、アンテナとチューナの一方の組を受信中の放送チャネルの放送の受信に用い、他方の組を受信中のプログラムと同じプログラムを放送している他の放送チャネルの探索と当該他の放送チャネルの放送の受信品質の評価に用いる技術も知られている（たとえば、特許文献２）。
【先行技術文献】
【特許文献】
【０００４】
【特許文献１】特開平８-２２２９９６号公報
【特許文献２】特開２００７-６０６２４号公報
【発明の概要】
【発明が解決しようとする課題】
【０００５】
上述したアンテナとチューナの組を二組備えたラジオ放送受信装置によれば、受信中のプログラムと同じプログラムを放送している他の放送チャネルの探索、及び、当該他の放送チャネルの放送の受信品質の評価は、一つのアンテナを用いて行われる。一方、二つのアンテナを用いるダイバシティ受信によれば、一つのアンテナのみを用いた場合に比べ、良好な受信品質で放送を受信することができる。
【０００６】
したがって、このような一つのアンテナを用いて探索を行うラジオ放送受信装置によれば、二つのアンテナを用いるダイバシティ受信を行った場合の受信品質を正しく評価することができない。また、このことより、二つのアンテナを用いるダイバシティ受信によって受信可能な放送の探索漏れが発生する。
【０００７】
そこで、本発明は、二つのアンテナを用いたダイバシティ受信を行う放送受信装置において、できるだけ簡易な構成において、受信とユーザに対する出力を行っている放送と異なる他の放送について、二つのアンテナを用いるダイバシティ受信を行った場合の受信品質を正しく評価することを課題とする。
【課題を解決するための手段】
【０００８】
前記課題達成のために、本発明は、放送チャネルを用いて無線伝送される放送を受信する放送受信装置に、第１のアンテナと、第２のアンテナと、前記第１のアンテナと前記第２のアンテナとを用いた前記放送のダイバシティ受信を行い、受信した放送のコンテンツをユーザに対して出力するダイバシティ受信部と、前記第１のアンテナと前記第２のアンテナのうちの一方のアンテナを選択的に用いて前記放送の受信品質の検出を行うバックグランドチューナと、各放送チャネルの放送の受信品質を算出する受信品質算出手段とを備えたものである。ただし、前記受信品質算出手段は、前記放送チャネルの放送の前記第１のアンテナを用いた受信品質の検出を前記バックグランドチューナに行わせる共に、当該放送チャネルの放送の前記第２のアンテナを用いた受信品質の検出を前記バックグランドチューナに行わせ、前記第１のアンテナを用いて検出された受信品質である第１受信品質と、前記第２のアンテナを用いて検出された受信品質である第２受信品質とを統合的に評価して、当該放送チャネルの放送の受信品質を算出するものである。
【０００９】
ここで、このような放送受信装置は、前記放送チャネルの放送の受信品質の算出を、当該放送チャネルについて前記検出された前記第１受信品質と第２受信品質とのうちの、より良好な方の受信品質を、当該放送チャネルの放送の受信品質として算出することにより行うように構成してもよい。
【００１０】
このような放送受信装置によれば、各放送チャネルの受信品質を、第１のアンテナと第２のアンテナ二つのアンテナのそれぞれを単独で用いて検出した二つの受信品質に基づいて評価するので、ダイバシティ受信部に単一のチューナであるバックグランドチューナを付加しただけの簡易な構成で、ダイバシティ受信部において二つのアンテナを用いて放送のダイバシティ受信を行った場合の受信品質を、より正しく評価することができる。
【００１１】
また、前記課題達成のために、本発明は、放送チャネルを用いて無線伝送される、コンテンツと代替局情報が多重化された放送を受信する放送受信装置を提供する。ここで、前記代替局情報には、当該代替局情報が多重化された放送と同内容の放送が行われている放送チャネルが登録されている。また、当該放送受信装置は、第１のアンテナと、第２のアンテナと、前記第１のアンテナと前記第２のアンテナとを用いた前記放送のダイバシティ受信を行い、受信した放送のコンテンツをユーザに対して出力すると共に、当該放送に多重化されている前記代替局情報を抽出するダイバシティ受信部と、前記第１のアンテナと前記第２のアンテナのうちの一方のアンテナを選択的に用いて前記放送の受信品質の検出を行うバックグランドチューナと、前記ダイバシティ受信部が受信中の放送チャネルの代替として用いることのできる放送チャネルである代替放送チャネルを算定する代替局算定手段と、所定の契機で、前記ダイバシティ受信部で受信する放送チャネルを、前記代替局算定手段が算定した代替放送チャネルに切り替える受信チャネル制御手段とを備えている。そして、前記代替局算定手段は、前記ダイバシティ受信部が抽出した代替局情報に登録されている各放送チャネルについて、当該放送チャネルの放送の前記第１のアンテナを用いた受信品質の検出を前記バックグランドチューナに行わせると共に、当該第１のアンテナを用いて検出された受信品質である第１受信品質が所定のレベルより良好な放送チャネルのうちの受信品質が上位の複数の放送チャネルの放送の前記第２のアンテナを用いた受信品質の検出を前記バックグランドチューナに行わせ、前記上位の複数の放送チャネルのうちの、前記第１受信品質と第２受信品質のうちのより良好な方の受信品質が最上位の放送チャネル、または、当該良好な方の受信品質が上位の複数の放送チャネルを、前記代替放送チャネルとして算定する。
【００１２】
また、前記課題達成のために、本発明は、放送チャネルを用いて無線伝送される、コンテンツと代替局情報が多重化された放送を受信する放送受信装置を提供する。ここで、前記代替局情報には、当該代替局情報が多重化された放送と同内容の放送が行われている放送チャネルが登録されている。また、当該放送受信装置は、第１のアンテナと、第２のアンテナと、前記第１のアンテナと前記第２のアンテナとを用いた前記放送のダイバシティ受信を行い、受信した放送のコンテンツをユーザに対して出力すると共に、当該放送に多重化されている前記代替局情報を抽出するダイバシティ受信部と、前記第１のアンテナと前記第２のアンテナのうちの一方のアンテナを選択的に用いて前記放送の受信品質の検出を行うバックグランドチューナと、前記ダイバシティ受信部が受信中の放送チャネルの代替として用いることのできる放送チャネルである代替放送チャネルを算定する代替局算定手段と、所定の契機で、前記ダイバシティ受信部で受信する放送チャネルを、前記代替局算定手段が算定した代替放送チャネルに切り替える受信チャネル制御手段とを備えている。そして、前記代替局算定手段は、前記ダイバシティ受信部が抽出した代替局情報に登録されている各放送チャネルについて、当該放送チャネルの放送の前記第１のアンテナを用いた受信品質の検出を前記バックグランドチューナに行わせ、
当該第１のアンテナを用いて検出された受信品質である第１受信品質が所定のレベルより良好な放送チャネルが存在した場合には、存在した放送チャネルのうちのいずれかの放送チャネルを前記代替放送チャネルとして算定し、当該第１のアンテナを用いて検出された受信品質である第１受信品質が所定のレベルより良好な放送チャネルが存在しなかった場合には、前記第１受信品質が前記所定のレベルより良好ではないが前記所定のレベルに近い放送チャネルの放送の前記第２のアンテナを用いた受信品質の検出を前記バックグランドチューナに行わせ、当該第２のアンテナを用いて検出された受信品質である第２受信品質が前記所定のレベルより良好な放送チャネルのうちの、前記第２受信品質が最上位の放送チャネル、または、前記第２受信品質が上位の複数の放送チャネルを前記代替放送チャネルとして算定する。
【００１３】
また、前記課題達成のために、本発明は、放送チャネルを用いて無線伝送される放送を受信する放送受信装置に、第１のアンテナと、第２のアンテナと、前記第１のアンテナと前記第２のアンテナとを用いた前記放送のダイバシティ受信を行い、受信した放送のコンテンツをユーザに対して出力するダイバシティ受信部と、前記第１のアンテナと前記第２のアンテナのうちの一方のアンテナを選択的に用いて前記放送の受信品質の検出を行うバックグランドチューナと、受信可能な放送チャネルが登録されたステーションリストと、ユーザ操作に応じて、前記ステーションリストに登録されている放送チャネルの放送の受信を、前記ダイバシティ受信部に行わせる受信チャネル制御手段と、前記ステーションリストを作成するステーションリスト作成手段とを備えたものである。ただし、前記ステーションリスト作成手段は、前記ダイバシティ受信部が受信可能な各放送チャネルについて、当該放送チャネルの放送の前記第１のアンテナを用いた受信品質の検出を前記バックグランドチューナに行わせ、当該第１のアンテナを用いて検出された受信品質である第１受信品質が所定のレベルより良好な放送チャネルを前記ステーションリストに登録すると共に、前記第１受信品質が前記所定のレベルより良好ではないが前記所定のレベルに近い放送チャネルの放送の前記第２のアンテナを用いた受信品質の検出を前記バックグランドチューナに行わせ、当該第２のアンテナを用いて検出された受信品質である第２受信品質が前記所定のレベルより良好な放送チャネルを前記ステーションリストに登録するものである。
【００１４】
以上のような各放送受信装置によれば、第１のアンテナと第２のアンテナ二つのアンテナのそれぞれを単独で用いて検出した二つの受信品質に基づいて、放送チャネルの放送の受信品質を評価するので、ダイバシティ受信部に単一のチューナであるバックグランドチューナを付加しただけの簡易な構成で、ダイバシティ受信部において二つのアンテナを用いて放送のダイバシティ受信を行った場合の受信品質を、より正しく評価し、当該評価に従った適切な放送チャネルを、代替放送チャネルに選定したり、ステーションリストに登録したりすることができる。
【００１５】
また、第２のアンテナを用いた第２受信品質の検出は、第１のアンテナを用いて第１受信品質を検出した放送チャネルのうちの、代替放送チャネルやステーションリストに登録する放送チャネルとして選定されるに足る受信品質が第２受信品質として検出される可能性のある一部の放送チャネルについてのみ行うので、効率的に優良代替局リストやステーションリストへの登録処理を行うことができる。
【００１６】
ここで、以上の放送受信装置において、前記放送は、たとえば、ラジオ放送である。
また、以上の放送受信装置は、自動車に搭載される放送受信装置であってもよい。
【発明の効果】
【００１７】
以上のように、本発明によれば、二つのアンテナを用いたダイバシティ受信を行う放送受信装置において、できるだけ簡易な構成において、受信とユーザに対する出力を行っている放送と異なる他の放送について、二つのアンテナを用いるダイバシティ受信を行った場合の受信品質を正しく評価することができる。
【図面の簡単な説明】
【００１８】
【図１】本発明の実施形態に係るラジオ放送受信装置の構成を示すブロック図である。
【図２】本発明の実施形態に係る優良AFリスト更新処理を示すフローチャートである。
【図３】本発明の実施形態に係る優良AFリスト更新処理の処理例を示す図である。
【図４】本発明の実施形態に係るステーションリスト更新処理を示すフローチャートである。
【図５】本発明の実施形態に係る。ステーションリスト更新処理の処理例を示す図である。
【発明を実施するための形態】
【００１９】
以下、本発明の実施形態について、音声コンテンツにデータを多重して放送するRDS放送を受信するラジオ放送受信装置への適用を例にとり説明する。
図１に、本実施形態に係るラジオ放送受信装置の構成を示す。
図示するように、ラジオ放送受信装置１は、第１アンテナ１０１と第２アンテナ１０２との二つのアンテナ、ダイバシティチューナ１０３、アンプ１０４、スピーカ１０５、制御部１０６、入力装置１０７、表示装置１０８、受信品質検査部１０９、メモリ１１０とを備えている。
【００２０】
次に、ダイバシティチューナ１０３は、第１チューナ１０３１と、第２チューナ１０３２と、信号処理部１０３３とを備えている。そして、第１チューナ１０３１は第１アンテナ１０１に接続しており、第２チューナ１０３２は第２アンテナ１０２に接続している。
【００２１】
ここで、第１チューナ１０３１と第２チューナ１０３２には、制御部１０６によって、選択的に一つの周波数チャネルが、ダイバシティチューナ１０３の受信チャネルとして設定される。そして、第１チューナ１０３１は、第１アンテナ１０１が受信したＲＦ信号より設定された受信チャネルのＩＦ信号を生成し信号処理部１０３３に出力し、第２チューナ１０３２は、第２アンテナ１０２が受信したＲＦ信号より設定された受信チャネルのＩＦ信号を生成し信号処理部１０３３に出力する。信号処理部１０３３は、第１チューナ１０３１から入力するＩＦ信号と第２チューナ１０３２から入力するＩＦ信号を位相調整した上で合成するフェーズダイバシティ合成を行い、合成したＩＦ信号より音声を復元すると共に、音声に多重化されて放送されているデータであるRDSデータを抽出する。そして、信号処理部１０３３は、復元した音声をアンプ１０４に、抽出したRDSデータを制御部１０６に出力する。ここで、信号処理部１０３３から制御部１０６に出力されるRDSデータには、AF（Alternative Frequencies）リストが含まれており、AFリストには、このRDSデータを放送している周波数チャネルで放送しているプログラムと同じプログラムを放送している複数の周波数チャネルが記述されている。
【００２２】
次に、アンプ１０４はダイバシティチューナ１０３から出力された音声を、制御部１０６から設定されたゲインで増幅しスピーカ１０５から出力する。
次に、受信品質検査部１０９は、スイッチ１０９１とバックグランドチューナ１０９２とを備えており、スイッチ１０９１は、制御部１０６の制御に従って、第１アンテナ１０１と第２アンテナ１０２との二つのアンテナの一方のアンテナを選択的にバックグランドチューナ１０９２に接続する。バックグランドチューナ１０９２は、接続されたアンテナを用いて、制御部１０６から検査チャネルとして設定された周波数チャネルの放送を受信し、検査チャネルの受信品質を検出し、検出した受信品質を制御部１０６に通知する。ここで、バックグランドチューナ１０９２は、検査チャネルのＳメータ（信号強度）、ＳＮ比、マルチパス歪みなどから、検査チャネルの受信品質を算定する。
【００２３】
次に、ラジオ放送受信装置１のメモリ１１０には、AFリスト、優良AFリスト、ステーションリストが制御部１０６によって格納される。
AFリストは、ダイバシティチューナ１０３で現在受信中の周波数チャネル（ダイバシティチューナ１０３に最後に設定した受信チャネル）で受信したAFリストであり、当該AFリストは上述のように信号処理部１０３３から制御部１０６に通知される。
【００２４】
また、優良AFリストは、AFリストに登録されている周波数チャネルのうちの、受信品質が上位のＮ（Ｎは、１以上の整数）個の周波数を、その周波数チャネルの受信品質と共に、受信品質の良い順に登録したリストである。
【００２５】
そして、ステーションリストは、現在、ダイバシティチューナ１０３で受信可能な周波数チャネルのリストである。
さて、このような構成において制御部１０６は、入力装置１０７でユーザから受け付けた選局操作で指定された周波数チャネルを受信チャネルとしてダイバシティチューナ１０３の第１チューナ１０３１と第２チューナ１０３２に設定する処理や、メモリ１１０のステーションリストに登録されている周波数チャネルの一覧を表示装置１０８に表示し、一覧中からの周波数チャネルの選択を入力装置１０７を介してユーザから受け付け、受け付けた周波数チャネルを受信チャネルとしてダイバシティチューナ１０３の第１チューナ１０３１と第２チューナ１０３２に設定する処理を行うことにより、ユーザの所望の周波数チャネルのダイバシティチューナ１０３の受信と、当該周波数チャネルで受信した音声のスピーカ１０５への出力を行う。
【００２６】
また、制御部１０６は、ダイバシティチューナ１０３における、受信チャネルの受信品質を監視し、受信チャネルの受信品質が、優良AFリストの最上位に登録されている周波数チャネルの、優良AFリストに登録されている受信品質より低くなったならば、優良AFリストの最上位に登録されている周波数チャネルを受信チャネルとしてダイバシティチューナ１０３の第１チューナ１０３１と第２チューナ１０３２に設定するAF切替処理を行う。
【００２７】
ただし、AF切替処理は、ダイバシティチューナ１０３における、受信チャネルの受信品質を監視し、受信チャネルの受信不良の発生が予測される程度に受信チャネルの受信品質が劣化したときに、優良AFリストの最上位に登録されている周波数チャネルを受信チャネルとしてダイバシティチューナ１０３の第１チューナ１０３１と第２チューナ１０３２に設定する処理としてもよい。
【００２８】
ここで、制御部１０６における、受信チャネルの受信品質の監視は、たとえば、以下のように行う。
すなわち、第１チューナ１０３１、第２チューナ１０３２は、Ｓメータ（信号強度）、ＳＮ比、マルチパス歪みなどから算定した受信チャネルの受信品質を算定し、制御部１０６に通知する。また、信号処理部１０３３は、RDSデータのエラーレートを算定して、制御部１０６に通知する。そして、制御部１０６は、通知された第１チューナ１０３１、第２チューナ１０３２における受信チャネルの受信品質や、信号処理部１０３３におけるエラーレートを、統合的に評価してダイバシティチューナ１０３における受信チャネルの受信品質を算定し、算定した受信品質の値を監視する。
【００２９】
以下、このようなラジオ放送受信装置１において、制御部１０６が優良AFリストの作成、更新のために行う優良AFリスト更新処理について説明する。なお、この優良AFリスト更新処理は、ダイバシティチューナ１０３における受信チャネルの放送の受信及び受信した音声の出力と並行して、バックグランドで実行される。
図２に、この優良AFリスト更新処理の手順を示す。
図示するように、優良AFリスト更新処理において、制御部１０６は、ダイバシティチューナ１０３の受信チャネルの変更の発生の有無を調べ（ステップ２０２）、受信チャネルの変更が発生していなければステップ２０６に進む。
【００３０】
一方、ダイバシティチューナ１０３の受信チャネルの変更が発生している場合には（ステップ２０２）、ダイバシティチューナ１０３の信号処理部１０３３から変更後の受信チャネルで受信したAFリストを取得しメモリ１１０に格納した上で（ステップ２０４）、ステップ２０６に進む。
【００３１】
そして、ステップ２０６に進んだならば、受信品質検査部１０９のスイッチ１０９１に第１アンテナ１０１をバックグランドチューナ１０９２に接続させる（ステップ２０６）。
【００３２】
次に、バックグランドチューナ１０９２に、メモリ１１０に格納したAFリストに登録されている各周波数チャネルを、順次、検査チャネルとして設定し、バックグランドチューナ１０９２に検査チャネルの受信品質を通知させることにより、AFリストに登録されている各周波数チャネルの受信品質Ｑ１を検出する（ステップ２０８）。
【００３３】
そして、AFリストに登録されている周波数チャネルのうちに、受信品質Ｑ１が所定のしきい値Th0より良好な周波数チャネルが存在するかどうかを調べる（ステップ２１０）。ここで、しきい値Th0の値は、その値より受信品質が良好な周波数チャネルであれば、その周波数チャネルの放送の正常な受信が保証できる値を用いる、
そして、受信品質Ｑ１が所定のしきい値Th0より良好な周波数チャネルが存在する場合には（ステップ２１０）、受信品質検査部１０９のスイッチ１０９１に第２アンテナ１０２をバックグランドチューナ１０９２に接続させる（ステップ２１２）。
【００３４】
次に、AFリストに登録されている受信品質Ｑ１がしきい値Th0より良好であった周波数チャネルのうちの、受信品質Ｑ１の優良さが上位のＭ（Ｍは２以上の予め定めた整数）個の周波数チャネルを、順次、検査チャネルとしてバックグランドチューナ１０９２に設定し、バックグランドチューナ１０９２に検査チャネルの受信品質を通知させることにより、受信品質Ｑ１が上位のＭ個の周波数チャネルの受信品質Ｑ２を検出する（ステップ２１４）。
【００３５】
次に、受信品質Ｑ１の優良さが上位のＭ個の周波数チャネル各々の受信品質Ｑの値として、その周波数チャネルの受信品質Ｑ１の値と受信品質Ｑ２の値のうちの、より受信品質が良好な方の値を設定する（ステップ２１６）。
【００３６】
そして、受信品質Ｑ１の優良さが上位のＭ個の周波数チャネルの各々を、受信品質Ｑが良好な順に、その周波数チャネルの受信品質Ｑと共に、優良AFリストに登録する（ステップ２１８）。そして、ステップ２０２からの処理に戻る。但し、ステップ２１８では、受信品質Ｑ１の優良さが上位のＭ個の周波数チャネルのうちの、受信品質Ｑが最も良好な周波数チャネルのみを優良AFリストに登録するようにしてもよい。または、ステップ２１８では、受信品質Ｑ１の優良さが上位のＭ個の周波数チャネルのうちの、受信品質Ｑが上位の２以上の所定数の周波数チャネルを優良AFリストに登録するようにしてもよい。
【００３７】
さて、上述したステップ２１０において、受信品質Ｑ１が所定のしきい値Th0より良好な周波数チャネルが存在しないと判定された場合には、受信品質検査部１０９のスイッチ１０９１に第２アンテナ１０２をバックグランドチューナ１０９２に接続させる（ステップ２２０）。
【００３８】
そして、受信品質Ｑ１が所定のしきい値Th1より良好な周波数チャネルを、順次、検査チャネルとしてバックグランドチューナ１０９２に設定し、バックグランドチューナ１０９２に検査チャネルの受信品質を通知させることにより、受信品質Ｑ１がしきい値Th1より良好な周波数チャネルの受信品質Ｑ２を検出する（ステップ２２２）。但し、Th0のしきい値Th0とTh1は、Th0の受信品質の方がTh1の受信品質よりも良好であり、Th1の受信品質がTh0の受信品質に比較的近い受信品質となるように設定する。
【００３９】
そして、受信品質Ｑ１がしきい値Th1より良好な周波数チャネルのうちに、受信品質Ｑ２がしきい値Th0より良好な周波数チャネルが存在したかどうかを調べ（ステップ２２４）、存在しない場合にはステップ２０２からの処理に戻る。
【００４０】
一方、受信品質Ｑ２がしきい値Th0より良好な周波数チャネルが存在した場合には（ステップ２２４）、受信品質Ｑ２がしきい値Th0より良好な周波数チャネルを、受信品質Ｑ２が良好な順に、その周波数チャネルの受信品質Ｑ２と共に、優良AFリストに登録する（ステップ２２６）。そして、ステップ２０２からの処理に戻る。但し、ステップ２２６では、受信品質Ｑ２がしきい値Th0より良好な周波数チャネルのうちの、受信品質Ｑ２が最も良好な周波数チャネルのみを優良AFリストに登録するようにしてもよい。または、ステップ２２６では、受信品質Ｑ２がしきい値Th0より良好な周波数チャネルのうちの、受信品質Ｑ２が上位の２以上の所定数の周波数チャネルを優良AFリストに登録するようにしてもよい。
【００４１】
以上、制御部１０６が行う優良AFリスト更新処理について説明した。
以下、このような優良AFリスト更新処理の処理例を示す。
まず、第１の処理例について示す。
いま、図３ａ１に示すようにダイバシティチューナ１０３で受信中の周波数チャネルから受信したAFリストにSt.1からSt.5までの５つの周波数チャネルが登録されていたものとする。この場合、まず、図３ａ２に示すように、St.1からSt.5までの各周波数チャネルについて第１アンテナ１０１を用いて受信品質Ｑ１を検出する。ここで、受信品質は０から１０までの数字で表すものとし、数が大きいほど受信品質は良好であるものとする。また、ここではしきい値Th0として５が、しきい値Th1として４が設定されているものとする。
【００４２】
次に、検出された受信品質Ｑ１がしきい値Th0より大きい周波数チャネルのうちの、受信品質Ｑ１が上位のＭ個の周波数チャネルの、受信品質Ｑ２を第２アンテナ１０２を用いて検出する。ここで、受信品質Ｑ１がしきい値Th0=５より大きい周波数チャネルは、受信品質Ｑ１が８のSt.1、受信品質Ｑ１が７のSt.2、受信品質Ｑ１が６のSt.3、受信品質Ｑ１が７のSt.5の４つの周波数チャネルとなる。したがって、Ｍを３とすると、受信品質Ｑ１が上位の３つの周波数チャネルは、St.1、St.2、St.5の周波数チャネルとなるので、図３ａ３に示すように、St.1、St.2、St.5の３つの周波数チャネルの受信品質Ｑ２を第２アンテナ１０２を用いて検出する。
【００４３】
次に、図３ａ４に示すように、受信品質Ｑ２を検出した３つのSt.1、St.2、St.5の周波数チャネルの受信品質Ｑを、受信品質Ｑ１と受信品質Ｑ２のうちの大きい方の値とする。結果、受信品質Ｑ１が８で受信品質Ｑ２が６のSt.1の受信品質Ｑは８となり、受信品質Ｑ１が７で受信品質Ｑ２が９のSt.1の受信品質Ｑは９となり、受信品質Ｑ１が７で受信品質Ｑ２が７のSt.5の受信品質Ｑは７となる。
【００４４】
そして、図３ａ５に示すように、３つのSt.1、St.2、St.5の周波数チャネルを、受信品質Ｑが大きい順に優良AFリストに、受信品質Ｑと共に登録する。結果、St.2、St.1、St.5の順に周波数チャネルが受信品質Ｑと共に優良AFリストに登録される。但し、上述のように、優良AFリストには受信品質Ｑが最良のSt.2の周波数チャネルのみを受信品質Ｑと共に登録するようにしてもよい。
【００４５】
以下、優良AFリスト更新処理の第２の処理例を示す。
いま、図３ｂ１に示すようにダイバシティチューナ１０３で受信中の周波数チャネルから受信したAFリストにSt.1からSt.5までの５つの周波数チャネルが登録されていたものとする。この場合、まず、St.1からSt.5までの各周波数チャネルについて、第１アンテナ１０１を用いて受信品質Ｑ１を図３ｂ２に示すように検出する。ここで、受信品質は０から１０までの数字で表すものとし、数が大きいほど受信品質は良好であるものとする。また、ここではしきい値Th0として５が、しきい値Th1として４が設定されているものとする。
【００４６】
そして、図３ｂ２に示すように、検出された受信品質Ｑ１がしきい値Th0=５より大きいより周波数チャネルが存在しない場合には、次に、受信品質Ｑ１がしきいTh1=４より大きい周波数周波数チャネルの、受信品質Ｑ２を第２アンテナ１０２を用いて検出する。ここでは、受信品質Ｑ１がしきい値Th1=４より大きい周波数チャネルは、受信品質Ｑ１が５のSt.2、受信品質Ｑ１が５のSt.4の２つの周波数チャネルとなるので、図３ｂ３に示すように、St.2、St.4の２つの周波数チャネルの受信品質Ｑ２を第２アンテナ１０２を用いて検出する。
【００４７】
そして、図３ｂ４に示すように、検出した受信品質Ｑ２がしきい値Th0=５より大きいより周波数チャネルを、受信品質Ｑ２が大きい順に、優良AFリストに、受信品質Ｑ２と共に登録する。ここでは、受信品質Ｑ２がしきい値Th0=５より大きい周波数チャネルは、受信品質Ｑ２が６のSt.4の周波数チャネルのみとなるので、St.4の周波数チャネルが受信品質Ｑ２と共に
優良AFリストに登録される。なお、この場合においても、受信品質Ｑ２がしきい値Th0=５より大きいより周波数チャネルのうちの、受信品質Ｑ２が最良の周波数チャネルのみを、受信品質Ｑ２と共に、優良AFリストに登録するようにしてもよい。
【００４８】
以上、優良AFリスト更新処理の処理例について示した。
ここまで示してきたように、優良AFリスト更新処理によれば、AFリストに登録された各周波数チャネルについて、二つのアンテナのそれぞれを単独で用いた場合に検出された受信品質に基づいて、受信品質を評価するので、ダイバシティチューナ１０３において二つのアンテナを用いて放送のダイバシティ受信を行った場合の受信品質を、より正しく評価することができる。
【００４９】
また、第１アンテナ１０１を用いた受信で正常受信可能な（しきい値Th0より良好な）レベルの受信品質Ｑ１が検出された周波数チャネルが存在する場合には、受信品質Ｑ１が上位の周波数チャネルのみを対象として、第２アンテナ１０２を用いた受信品質Ｑ２を検出し、正常受信可能なレベルの受信品質Ｑ１が検出された周波数チャネルが存在しない場合には、受信品質Ｑ１が正常受信可能なレベルに近い周波数チャネルのみを対象として、第２アンテナ１０２を用いた受信品質Ｑ２を検出するので、第２アンテナ１０２を用いた受信品質をAFリストに登録された全ての周波数チャネルについて検出する場合に比べ、効率的に、AFリストに登録された周波数チャネルのうちの受信品質が最良または優良な周波数チャネルを算定することができる。
【００５０】
なお、第１アンテナ１０１を用いて検出される受信品質と、第２アンテナ１０２を用いて検出される受信品質には、顕著に大きな差が無いことが期待できる。したがって、以上のように、第１アンテナ１０１を用いた受信品質Ｑ１が比較的良好であった周波数チャネルについてのみ第２アンテナ１０２を用いた受信品質Ｑ２を検出して、周波数チャネルの受信品質を評価しても、正しく受信品質が最良または優良な周波数チャネルを算定することができる。
【００５１】
次に、制御部１０６がステーションリストの作成、更新のために行うステーションリスト更新処理について説明する。なお、このステーションリスト更新処理は、ダイバシティチューナ１０３における受信チャネルの放送の受信及び受信した音声の出力と並行して、バックグランドで実行される。
図４に、このステーションリスト更新処理の手順を示す。
図示するように、ステーションリスト更新処理において、制御部１０６は、受信品質検査部１０９のスイッチ１０９１に第１アンテナ１０１をバックグランドチューナ１０９２に接続させる（ステップ４０２）。
【００５２】
そして、バックグランドチューナ１０９２に、全ての周波数チャネルを、順次、検査チャネルとして設定し、バックグランドチューナ１０９２に検査チャネルの受信品質を通知させることにより、各周波数チャネルの受信品質Ｑ１を検出する（ステップ４０４）。
【００５３】
そして、受信品質Ｑ１がしきい値Th0より良好な周波数チャネルをステーションリストに登録する（ステップ４０６）。
次に、受信品質検査部１０９のスイッチ１０９１に第２アンテナ１０２をバックグランドチューナ１０９２に接続させる（ステップ４０８）。
また、受信品質Ｑ１がしきい値Th0より良好でない周波数チャネルのうちの受信品質Ｑ１がしきい値Th1より良好であった周波数チャネルを、バックグランドチューナ１０９２に、順次、検査チャネルとして設定し、バックグランドチューナ１０９２に検査チャネルの受信品質を通知させることにより、受信品質Ｑ１がしきい値Th0より良好でなくしきい値Th1より良好である周波数チャネルの受信品質Ｑ２を検出する（ステップ４１０）。なお、上述のように、Th0のしきい値Th0とTh1は、Th0の受信品質の方がTh1の受信品質よりも良好であり、Th1の受信品質がTh0の受信品質に比較的近い受信品質となるように設定する。
【００５４】
そして、受信品質Ｑ２がしきい値Th0より良好な周波数チャネルをステーションリストに追加登録し（ステップ４１２）、ステップ４０２からの処理に戻る。
【００５５】
以上、制御部１０６が行うステーションリスト更新処理について説明した。
以下、このようなステーションリスト更新処理の処理例について説明する。
いま、図５ａに示すSt.11からSt.15までの５つの周波数チャネルの電波を受信可能であり、St.11からSt.15までの各周波数チャネルについて第１アンテナ１０１を用いて受信品質Ｑ１が図５ｂに示すよう検出されたものとする。ここで、受信品質は０から１０までの数字で表すものとし、数が大きいほど受信品質は良好であるものとする。また、ここではしきい値Th0として５が、しきい値Th1として４が設定されているものとする。
【００５６】
この場合、図５ｂに示すように、受信品質Ｑ１がしきい値Th0=５より良好であるのは、受信品質Ｑ１が６のSt.12と、受信品質Ｑ１が７のSt.15となるので、図５ｄ１に示すようにSt.12の周波数チャネルとSt.15の周波数チャネルがステーションリストに登録される。
【００５７】
また、図５ｂに示すように、受信品質Ｑ１がしきい値Th0=５より良好でなく、しきい値Th1=４より良好である周波数チャネルとして、受信品質Ｑ１が５のSt.11とSt.13の周波数チャネルが存在するので、図５ｃに示すように、St.11とSt.13の周波数チャネルの受信品質Ｑ２が第２アンテナ１０２を用いて検出される。
【００５８】
そして、St.13の周波数チャネルは検出された受信品質Ｑ２が６と、しきい値Th0=５より良好であるので、図５ｄ２に示すように、St.13の周波数チャネルがステーションリストに追加登録される。
【００５９】
以上、ステーションリスト更新処理の処理例について説明した。
ここまで示してきたように、ステーションリスト更新処理によれば、各周波数チャネルについて、二つのアンテナのそれぞれを単独で用いた場合に検出された受信品質に基づいて、受信品質を評価するので、ダイバシティチューナ１０３において二つのアンテナを用いて放送のダイバシティ受信を行った場合に受信可能な周波数チャネルを、より正しく算定することができる。
【００６０】
また、第１アンテナ１０１を用いて検出された受信品質Ｑ１が正常受信可能なレベル（Th0より良好なレベル）に近い周波数チャネルのみを対象として、第２アンテナ１０２を用いた受信品質Ｑ２を検出するので、第２アンテナ１０２を用いた受信品質を全ての周波数チャネルについて検出する場合に比べ、効率的に、ダイバシティチューナ１０３において二つのアンテナを用いて放送のダイバシティ受信を行った場合に受信可能な周波数チャネルを算定することができる。
【００６１】
なお、第１アンテナ１０１を用いて検出される受信品質と、第２アンテナ１０２を用いて検出される受信品質には顕著に大きな差が無いことが期待できる。したがって、以上のように、第１アンテナ１０１を用いた受信品質Ｑ１が正常受信可能なレベルに近い周波数チャネルについてのみ第２アンテナ１０２を用いた受信品質Ｑ２を検出しても、ダイバシティチューナ１０３において二つのアンテナを用いて放送のダイバシティ受信を行った場合に受信可能な周波数チャネルを漏れなく、または、漏れ少なく算定することができる。
【００６２】
以上、本発明の実施形態について説明した。
以上のように、本実施形態によれば、ダイバシティチューナ１０３に単一のチューナであるバックグランドチューナ１０９２を付加しただけの簡易な構成によって、各周波数チャネルについて、放送をダイバシティチューナ１０３において二つのアンテナを用いて放送の受信を行った場合の受信品質を、より正しく評価することができる。
【００６３】
ところで、以上では、ダイバシティチューナ１０３は、フェーズダイバシティ合成によるダイバシティ受信を行うものとしたが、ダイバシティチューナ１０３は、放送の受信に用いるアンテナを、第１アンテナ１０１と第２アンテナ１０２とのうちの、より受信状態の良い方のアンテナに切替ながら放送の受信を行う空間ダイバシティ受信などの、他の方式によるダイバシティ受信を行うものであってもよい。
また、以上では、本実施形態ではRDS放送を受信するラジオ放送受信装置への適用について説明したが、本実施形態で示した優良AFリストやステーションリスト作成、更新の技術は、並行的に同プログラムを複数の放送で放送する放送システムから放送を受信する、ラジオ放送受信装置やテレビ放送受信装置などの任意の放送受信装置に同様に適用することができる。
【符号の説明】
【００６４】
１…ラジオ放送受信装置、１０１…第１アンテナ、１０２…第２アンテナ、１０３…ダイバシティチューナ、１０４…アンプ、１０５…スピーカ、１０６…制御部、１０７…入力装置、１０８…表示装置、１０９…受信品質検査部、１１０…メモリ、１０３１…第１チューナ、１０３２…第２チューナ、１０３３…信号処理部、１０９１…スイッチ、１０９２…バックグランドチューナ。
【図１】
2016225775.tif 000003
【図２】
2016225775.tif 000004
【図３】
2016225775.tif 000005
【図４】
2016225775.tif 000006
【図５】
2016225775.tif 000007